(57)【特許請求の範囲】
【請求項１】
画像を表示する画像表示器が配設される遊技盤を備える遊技機であって、
前記遊技盤の略中央位置に前記画像表示器を収容可能に形成された孔と、
前記遊技盤における前記孔の周辺部に固定される役物と、
前記役物を前記孔の周辺部に固定する複数の係止部材とを備え、
前記役物は、該役物の一方側端部に、前記遊技盤の盤面と平行な方向に突出し、前記孔の周辺部を挟持する前面側突出部材および背面側突出部材を有し、
前記複数の係止部材の少なくとも１つは、前記前面側突出部材を貫通して、前記孔の周辺部に固定される、遊技機。
【請求項２】
前記前面側突出部材および背面側突出部材は、前記役物と一体として、断面視コの字状に形成されている、請求項１に記載の遊技機。
【請求項３】
前記前面側突出部材および背面側突出部材は、前記役物が前記遊技盤に装着された状態で、前記孔の周辺部に沿うべく帯状に形成されている、請求項１に記載の遊技機。
【請求項４】
前記孔の周辺部は、前記遊技盤の盤面と平行な方向に前記孔に向けて突出した凸部を有し、
前記複数の係止部材の少なくとも１つは、前記前面側突出部材を貫通して、前記孔の周辺部の前記凸部に固定される、請求項１に記載の遊技機。
【請求項５】
前記孔の周辺部は、前記遊技盤の盤面と平行な方向に前記孔が突出すべく形成された凹部、および、端面が直線状の直線部の少なくとも一方を有し、
前記複数の係止部材の少なくとも１つは、前記役物の周辺部を貫通して、前記孔の周辺部の前記凹部および前記直線部の少なくとも一方に固定され、
前記複数の係止部材の少なくとも１つは、前記前面側突出部材を貫通して、前記孔の周辺部の前記凸部に固定される、請求項４に記載の遊技機。
【請求項６】
画像を表示する画像表示器が配設される遊技盤を備える遊技機であって、
前記遊技盤の略中央位置に前記画像表示器を収容可能に形成された孔と、
前記遊技盤における前記孔の周辺部に固定される役物と、
前記役物を前記孔の周辺部に固定する複数の係止部材とを備え、
前記役物は、該役物の一方側端部に、前記遊技盤の盤面と平行な方向に突出し、前記孔の周辺部の背面側を支持する背面側突出部材を有し、
前記孔の周辺部は、前記遊技盤の盤面と平行な方向に前記孔に向けて突出した凸部を有すると共に、前記遊技盤の盤面と平行な方向に前記孔が突出すべく形成された凹部、および端面が直線状の直線部の少なくとも一方を有し、
前記複数の係止部材の少なくとも１つは、前記役物の周辺部を貫通して、前記孔の周辺部の前記凹部および前記直線部の少なくとも一方に固定され、
前記複数の係止部材の少なくとも１つは、前記孔の周辺部の前記凸部を貫通して当該孔の周辺部の前記凸部に前記背面側突出部材を係止して、前記孔の周辺部の前記凸部に固定される、遊技機。
【請求項７】
画像を表示する画像表示器が配設される遊技盤を備える遊技機の製造方法であって、
前記遊技機は、
前記遊技盤の略中央位置に前記画像表示器を収容可能に形成された孔と、
前記遊技盤における前記孔の周辺部に固定される役物と、
前記役物を前記孔の周辺部に固定する複数の係止部材とを備え、
前記役物は、該役物の一方側端部に、前記遊技盤の盤面と平行な方向に突出し、前記孔の周辺部を挟持する前面側突出部材および背面側突出部材を有し、
前記孔の周辺部は、前記遊技盤の盤面と平行な方向に前記孔に向けて突出した凸部を有すると共に、前記遊技盤の盤面と平行な方向に前記孔が突出すべく形成された凹部、および、端面が直線状の直線部の少なくとも一方を有し、
前記複数の係止部材の少なくとも１つを、前記役物の周辺部を貫通して、前記孔の周辺部の前記凹部および前記直線部の少なくとも一方に固定する第１固定ステップと、
前記第１固定ステップの後、前記複数の係止部材の少なくとも１つを、前記前面側突出部材を貫通して、前記孔の周辺部の前記凸部に固定する第２固定ステップとを実行する、遊技機の製造方法。
【請求項８】
画像を表示する画像表示器が配設される遊技盤を備える遊技機の製造方法であって、
前記遊技機は、
前記遊技盤の略中央位置に前記画像表示器を収容可能に形成された孔と、
前記遊技盤における前記孔の周辺部に固定される役物と、
前記役物を前記孔の周辺部に固定する複数の係止部材とを備え、
前記役物は、該役物の一方側端部に、前記遊技盤の盤面と平行な方向に突出し、前記孔の周辺部の背面側を支持する背面側突出部材を有し、
前記孔の周辺部は、前記遊技盤の盤面と平行な方向に前記孔に向けて突出した凸部を有すると共に、前記遊技盤の盤面と平行な方向に前記孔が突出すべく形成された凹部、および、端面が直線状の直線部の少なくとも一方を有し、
前記複数の係止部材の少なくとも１つを、前記役物の周辺部を貫通して、前記孔の周辺部の前記凹部および前記直線部の少なくとも一方に固定する第１固定ステップと、
前記第１固定ステップの後、前記複数の係止部材の少なくとも１つを、前記孔の周辺部を貫通して当該孔の周辺部の前記凸部に前記背面側突出部材を係止して、前記孔の周辺部前記凸部に固定する第２固定ステップとを実行する、遊技機の製造方法。
【発明の詳細な説明】
【技術分野】
【０００１】
本発明は、パチンコ遊技機等の遊技機に関する。より特定的には、画像を表示する画像表示器が配設される遊技盤を備える遊技機に関する。
【背景技術】
【０００２】
近年、演出効果を高める等の目的で、パチンコ遊技機等の遊技機には、画像を表示する画像表示器、役物等が遊技盤に搭載され、種々の多様な演出が行われるようになっている。また、演出効果をさらに高めるために、遊技盤に搭載される画像表示器、役物は大型化が進展している。そこで、画像表示器、役物等を遊技盤に固定するための種々の技術が開示されている。
【０００３】
例えば、ビス打ち部によってビス孔にビスを打ち込む際に、ビス打ち部の先端部が円筒部の内側にテーパー状に形成された内周壁に沿って嵌まり込み、これによって役物等の遊技部品が移動して、適正な位置にビス打ちができるように遊技部品の位置を自動修正するパチンコ遊技機の遊技部品固定方法が開示されている（例えば、特許文献１参照）。
【先行技術文献】
【特許文献】
【０００４】
【特許文献１】特開２００２−３６０８０６号公報
【発明の概要】
【発明が解決しようとする課題】
【０００５】
しかしながら、特許文献１に記載のパチンコ遊技機の遊技部品固定方法では、ビス打ちの際に遊技盤に加えられる押圧力によって、遊技盤が撓むおそれがある。以下、図８を参照して、上記課題について説明する。図８は、遊技盤の基体部材である矩形の板状部材６の正面図である。図８に示すように、板状部材６には、画像表示器２１、役物７を収容する孔６１が形成される。孔６１の周辺部６２は、板状部材６の板面と平行な方向に、孔６１に向けて突出した凸部６２１を有している。そして、役物７を板状部材６に固定するために、この凸部６２１に役物７に形成されたビス孔７１を貫通して、図略のビスが図の手前側（前面側）から背面側に向けて打たれる。
【０００６】
このビス打ちの際に、凸部６２１に図の手前側から背面側に向けて押圧力が加わり、凸部６２１が背面側に撓むおそれがある。すなわち、凸部６２１は、いわゆる片持ち梁状となっているため、板状部材６の板面と平行な方向に孔６１が突出すべく形成された凹部６２２（いわゆる両持ち梁状の部材）と比較して、極めて撓み易いのである。また、この課題を解消するために、従来は、凸部６２１と、該凸部６２１と対向する凹部６２２とを連結する連結部材６３が設けられていた。しかしながら、例えば、役物７がＬＥＤ（Ｌｉｇｈｔ  Ｅｍｉｔｔｉｎｇ  Ｄｉｏｄｅ）等の発光部材を備え、光による各種の演出を行う役物である場合には、自然な演出を行うために、ＬＥＤと役物７の前面側部材との距離を所定距離（例えば、３０ｍｍ）以上にする必要がある。具体的には、例えば、内部にＬＥＤ光源と外側（遊技機の前面側）に反射板を有し、ＬＥＤ光源からの光が反射板に反射（拡散）して発光するような役物では、奥行き方向の長さが十分にないと、ＬＥＤ光源から光を拡散させるための反射板までの距離が短くなる。このため、ＬＥＤの光が十分に拡散しないため、結果として当該役物を美しく光らせることができなくなる。従って、このような役物では、奥行き方向の長さを十分に確保する必要がある。また、近年、より効果的な演出を行わせるために、演出の際に可動する可動役物がより大型化している傾向にある。連結部材６３を配設する場合では、このような役物の大きさ（特に奥行き方向の大きさ）に制限がかかる一方、連結部材６３を配設しない場合では、ビス打ちの際に板状部材６の凸部６２１の撓みが発生するおそれがある。
【０００７】
それ故に本発明の目的は、役物を遊技盤に固定するビス打ちの際に当該遊技盤が撓むことを抑制することの可能な遊技機、および遊技機の製造方法を提供することである。
【課題を解決するための手段】
【０００８】
本発明は、上記の課題を解決するために、以下の構成を採用した。なお、括弧内の参照符号および補足説明等は、本発明の理解を助けるために後述する実施形態との対応関係の一例を示したものであって、本発明を何ら限定するものではない。
【０００９】
本発明に係る遊技機は、画像を表示する画像表示器（２１）が配設される遊技盤（２）を備える遊技機であって、前記遊技盤（２）の略中央位置に前記画像表示器（２１）を収容可能に形成された孔（６１）と、前記遊技盤における前記孔の周辺部（６２）に固定される役物（７）と、前記役物を前記孔の周辺部に固定する複数の係止部材（８）とを備え、前記役物は、該役物の一方側端部に、前記遊技盤の盤面と平行な方向に突出し、前記孔の周辺部を挟持する前面側突出部材（７３）および背面側突出部材（７４）を有し、前記複数の係止部材の少なくとも１つは、前記前面側突出部材を貫通して、前記孔の周辺部に固定される。
【００１０】
また、前記前面側突出部材および背面側突出部材は、前記役物と一体として、断面視コの字状に形成されていてもよい。
【００１１】
また、前記前面側突出部材および背面側突出部材は、前記役物が前記遊技盤に装着された状態で、前記孔の周辺部に沿うべく帯状に形成されていてもよい。
【００１２】
また、前記孔の周辺部は、前記遊技盤の盤面と平行な方向に前記孔に向けて突出した凸部（６２１）を有し、前記複数の係止部材の少なくとも１つは、前記前面側突出部材を貫通して、前記孔の周辺部の前記凸部に固定されてもよい。
【００１３】
また、前記孔の周辺部は、前記遊技盤の盤面と平行な方向に前記孔が突出すべく形成された凹部（６２２）、および端面が直線状の直線部の少なくとも一方を有し、前記複数の係止部材の少なくとも１つは、前記役物の周辺部を貫通して、前記孔の周辺部の前記凹部および前記直線部の少なくとも一方に固定され、前記複数の係止部材の少なくとも１つは、前記前面側突出部材を貫通して、前記孔の周辺部の前記凸部に固定されてもよい。
【００１４】
また、本発明に係る遊技機は、画像を表示する画像表示器（２１）が配設される遊技盤（２）を備える遊技機（１）であって、前記遊技盤の略中央位置に前記画像表示器を収容可能に形成された孔（６１）と、前記遊技盤における前記孔の周辺部（６２）に固定される役物（７）と、前記役物を前記孔の周辺部に固定する複数の係止部材（８）とを備え、前記役物は、該役物の一方側端部に、前記遊技盤の盤面と平行な方向に突出し、前記孔の周辺部の背面側を支持する背面側突出部材（７４）を有し、前記孔の周辺部は、前記遊技盤の盤面と平行な方向に前記孔に向けて突出した凸部（６２１）を有すると共に、前記遊技盤の盤面と平行な方向に前記孔が突出すべく形成された凹部（６２２）、および端面が直線状の直線部の少なくとも一方を有し、前記複数の係止部材の少なくとも１つは、前記役物の周辺部を貫通して、前記孔の周辺部の前記凹部および前記直線部の少なくとも一方に固定され、前記複数の係止部材の少なくとも１つは、前記孔の周辺部の前記凸部を貫通して当該孔の周辺部の前記凸部に前記背面側突出部材を係止して、前記孔の周辺部の前記凸部に固定される。
【００１５】
また、本発明に係る遊技機の製造方法は、画像を表示する画像表示器（２１）が配設される遊技盤（２）を備える遊技機の製造方法であって、前記遊技機は、前記遊技盤の略中央位置に前記画像表示器を収容可能に形成された孔（６１）と、前記遊技盤における前記孔の周辺部（６２）に固定される役物（７）と、前記役物を前記孔の周辺部に固定する複数の係止部材（８）とを備え、前記役物は、該役物の一方側端部に、前記遊技盤の盤面と平行な方向に突出し、前記孔の周辺部を挟持する前面側突出部材（７３）および背面側突出部材（７４）を有し、前記孔の周辺部は、前記遊技盤の盤面と平行な方向に前記孔に向けて突出した凸部（６２１）を有すると共に、前記遊技盤の盤面と平行な方向に前記孔が突出すべく形成された凹部（６２１）、および端面が直線状の直線部の少なくとも一方を有し、前記複数の係止部材の少なくとも１つを、前記役物の周辺部を貫通して、前記孔の周辺部の前記凹部および前記直線部の少なくとも一方に固定する第１固定ステップ（Ｓ２）と、前記第１固定ステップの後、前記複数の係止部材の少なくとも１つを、前記前面側突出部材を貫通して、前記孔の周辺部の前記凸部に固定する第２固定ステップ（Ｓ３）とを実行する。
【００１６】
また、本発明に係る遊技機の製造方法は、画像を表示する画像表示器（２１）が配設される遊技盤（２）を備える遊技機（１）の製造方法であって、前記遊技機は、前記遊技盤の略中央位置に前記画像表示器を収容可能に形成された孔（６１）と、前記遊技盤における前記孔の周辺部（６２）に固定される役物（７）と、前記役物を前記孔の周辺部に固定する複数の係止部材（８）とを備え、前記役物は、該役物の一方側端部に、前記遊技盤の盤面と平行な方向に突出し、前記孔の周辺部の背面側を支持する背面側突出部材（７４）を有し、前記孔の周辺部は、前記遊技盤の盤面と平行な方向に前記孔に向けて突出した凸部（６２１）を有すると共に、前記遊技盤の盤面と平行な方向に前記孔が突出すべく形成された凹部（６２２）、および端面が直線状の直線部の少なくとも一方を有し、前記複数の係止部材の少なくとも１つを、前記役物の周辺部を貫通して、前記孔の周辺部の前記凹部および前記直線部の少なくとも一方に固定する第１固定ステップ（Ｓ２）と、前記第１固定ステップの後、前記複数の係止部材の少なくとも１つを、前記孔の周辺部を貫通して当該孔の周辺部の前記凸部に前記背面側突出部材を係止して、前記孔の周辺部前記凸部に固定する第２固定ステップ（Ｓ３）とを実行する。
【発明の効果】
【００１７】
本発明によれば、役物を遊技盤に固定するビス打ちの際に当該遊技盤が撓むことを抑制することができる。
【図面の簡単な説明】
【００１８】
【図１】本発明の一実施形態に係る遊技機１の正面図
【図２】遊技機１に設けられた表示器３の拡大図
【図３】遊技機１の部分平面図
【図４】遊技機１の遊技盤２の基体部材である矩形の板状部材６の正面図
【図５】第１実施形態に係る役物７の板状部材６へのビス止め状態を示す図４のＡ−Ａ断面図
【図６】第２実施形態に係る役物７の板状部材６へのビス止め状態を示す図４のＡ−Ａ断面図
【図７】遊技機１の製造方法を示すフローチャート
【図８】従来の遊技機の遊技盤の基体部材である矩形の板状部材６の正面図
【発明を実施するための形態】
【００１９】
以下、図面を参照して、本発明の一実施形態に係る遊技機について説明する。
【００２０】
（遊技機の概要）
図１において、遊技機１は、例えば遊技者の指示操作により打ち出された遊技球が入賞すると賞球を払い出すように構成されたパチンコ遊技機である。この遊技機１は、遊技球が打ち出される遊技盤２と、遊技盤２を囲む枠部材５とを備えている。枠部材５は、軸支側に設けられた蝶番を中心に、遊技機１の主部に対して開閉可能に構成され、遊技盤２に対して着脱自在に取り付けられている。そして、枠部材５の前面側となる所定位置（例えば、軸支側とは反対側となる端部）には錠部４３が設けられており、錠部４３を開錠することによって枠部材５を開くことが可能となる。
【００２１】
遊技盤２は、その前面に、遊技球により遊技を行うための遊技領域２０が形成されている。遊技領域２０には、下方から発射された遊技球が遊技盤２の主面に沿って上昇して遊技領域２０の上部位置へ向かう通路を形成するレール部材（図示せず）と、上昇した遊技球を遊技領域２０の右側に案内する案内部材（図示せず）とを備えている。
【００２２】
また、遊技盤２には、遊技者により視認され易い位置に、各種演出のための画像を表示する画像表示器２１が配設されている。画像表示器２１は、遊技者による遊技の進行に応じて、例えば、装飾図柄を表示することによって図柄抽選結果（図柄変動結果）を遊技者に報知したり、キャラクタの登場やアイテムの出現による予告演出を表示したりする。なお、画像表示器２１は、液晶表示装置、ＥＬ（Ｅｌｅｃｔｒｏ  Ｌｕｍｉｎｅｓｃｅｎｃｅ：電界発光）表示装置、ＬＥＤ（Ｌｉｇｈｔ  Ｅｍｉｔｔｉｎｇ  Ｄｉｏｄｅ：発光ダイオード）ドット表示装置、および７セグメントディスプレイ（以下、７セグ表示装置と記載する）等によって構成されるが、他の任意の表示装置を利用してもよい。本実施形態では、一例として、画像表示器２１として液晶表示装置を利用する例を説明する。遊技盤２の前面には、各種の演出に用いられる可動役物２２および盤ランプ２３が設けられている。可動役物２２は、遊技盤２に対して可動に構成され、遊技者による遊技の進行に応じて所定の動作で移動させることによって各種の演出を行う。また、盤ランプ２３は、遊技者による遊技の進行に応じて発光することによって光による各種の演出を行う。さらに、遊技盤２には、本発明に係る役物７が画像表示器２１の右側に配設され、役物７は、例えば、遊技の進行に応じて発光することによって光による各種の演出を行う。
【００２３】
遊技領域２０には、遊技球が下方へ落下する方向を変化させる遊技くぎおよび風車（共に、図示せず）等が配設されている。また、遊技領域２０には、入賞や抽選に関する種々の役物が所定の位置に配設されている。なお、図１においては、入賞や抽選に関する種々の役物の一例として、第１始動口２５ａ、第２始動口２５ｂ、ゲート２７、大入賞口２８、および普通入賞口２９が遊技盤２に配設されている。さらに、遊技領域２０には、遊技領域２０に打ち出された遊技球のうち入賞口に入賞しなかった遊技球を、遊技領域２０の外に排出する排出口２４が配設されている。
【００２４】
第１始動口２５ａに遊技球が入ると入賞して第１特別図柄抽選（大当たり抽選）が始動する。第１始動口２５ａは、予め定められた特別電動役物（大入賞口２８）および予め定められた特別図柄表示器（例えば、後述する第１特別図柄表示器３１ａ）を作動させることとなる、遊技球の入賞に係る入賞口である。第２始動口２５ｂに遊技球が入ると入賞して第２特別図柄抽選（大当たり抽選）が始動する。第２始動口２５ｂは、予め定められた特別電動役物（大入賞口２８）および予め定められた特別図柄表示器（例えば、後述する第２特別図柄表示器３１ｂ）を作動させることとなる、遊技球の入賞に係る入賞口である。ゲート２７を遊技球が通過すると、普通図柄抽選（開閉抽選）が始動する。
【００２５】
第２始動口２５ｂは、普通電動役物の一例として、遊技球の入口近傍に電動チューリップ２６を備えている。電動チューリップ２６は、チューリップの花を模した一対の羽根部を有しており、電動チューリップ開閉部（図示せず；例えば、電動ソレノイド）の駆動によって当該一対の羽根部が左右に開閉し、開閉動作と共に点灯または点滅する。電動チューリップ２６の一対の羽根部が閉じていると、第２始動口２５ｂの入口がほぼ閉ざされるため、遊技球が第２始動口２５ｂへほとんど入らない。一方、電動チューリップ２６の一対の羽根部が左右に開くと、第２始動口２５ｂの入口へ案内される開口幅が拡大するため、遊技球が始動口２５へ入り易くなる。そして、電動チューリップ２６は、ゲート２７を遊技球が通過することによって始動される普通図柄抽選に当選すると、点灯または点滅しながら一対の羽根部が規定時間（例えば、６秒間）開き、規定回数（例えば、３回）だけ開閉する。
【００２６】
大入賞口２８は、第２始動口２５ｂの下方に位置し、特別図柄抽選（第１特別図柄抽選、第２特別図柄抽選）の結果に応じて開放する。大入賞口２８は、通常は閉状態であり遊技球が入ることがない状態となっているが、特別図柄抽選の結果に応じて遊技盤２の主面から突出傾斜して開状態となって遊技球が入り易い状態となる。例えば、大入賞口２８は、所定条件（例えば、３０秒経過または遊技球１０個の入賞）を満たすまで開状態が維持されるラウンドを、所定回数（例えば、１５回）だけ繰り返す。また、普通入賞口２９は、遊技球が入賞しても抽選が始動しない。
【００２７】
また、遊技盤２の所定位置（例えば、右下）に、上述した特別図柄抽選や普通図柄抽選の結果や保留数に関する表示を行う表示器３が配設されている。表示器３の詳細については、後述する。
【００２８】
なお、図１に示した遊技機１は、遊技領域２０に２つの始動口（第１始動口２５ａ、第２始動口２５ｂ）が配設されているが、遊技球が入ると入賞して特別図柄抽選が開始される始動口を１つだけ、または３つ以上設けてもかまわない。また、遊技機１は、遊技領域２０に１つの大入賞口２８が配設されているが、大入賞口２８と同様の機能を有する大入賞口を複数設けてもかまわない。
【００２９】
また、遊技機１は、所定の条件下で、特別図柄抽選時に大当たりが抽選される大当たり確率が変動することがある。例えば、遊技機１は、上記大当たり確率が相対的に低い状態（低確状態；例えば大当たり確率が３００分の１）から上記大当たり確率が相対的に高い状態（高確状態；例えば大当たり確率が３０分の１）へ変動することがある。また、遊技機１は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ２６の羽根部の開時間が延長されたり、電動チューリップ２６の羽根部が開閉する回数が増えたりする（電チューサポート）場合がある。
【００３０】
ここで、賞球の払い出しについて説明する。第１始動口２５ａ、第２始動口２５ｂ、大入賞口２８、および普通入賞口２９に遊技球が入る（入賞する）と、遊技球が入賞した場所に応じて、１つの遊技球当たり規定個数の賞球が払い出される。例えば、第１始動口２５ａまたは第２始動口２５ｂに遊技球が入賞すると４個の賞球、大入賞口２８に遊技球が入賞すると１３個の賞球、普通入賞口２９に遊技球が入賞すると１０個の賞球がそれぞれ払い出される。なお、ゲート２７を遊技球が通過したことを検出しても、それに連動した賞球の払い出しはない。
【００３１】
枠部材５の前面側には、ハンドル５１、レバー５２、停止ボタン５３、取り出しボタン５４、スピーカ５５、枠ランプ５６、演出ボタン５７、演出キー５８、皿５９、および錠部４３等が設けられている。
【００３２】
遊技者がハンドル５１に触れてレバー５２を時計方向に回転させる操作を行うと、その操作角度に応じた打球力にて所定の時間間隔（例えば、１分間に１００個）で、発射装置（図示せず）が遊技球を電動発射する。皿５９は、遊技機１の前方に突出して設けられ、発射装置に供給する遊技球を一時的に溜めておく。また、皿５９には、上述した賞球が払い出される。そして、皿５９に溜められた遊技球は、遊技者のレバー５２による操作と連動したタイミングで、供給装置（図示せず）によって１つずつ発射装置に供給される。なお、皿５９は、上下皿一体で構成してもいいし、上皿と下皿とを分離して構成してもかまわない。また、ハンドル５１は、所定条件下で発光させてもかまわない。
【００３３】
停止ボタン５３は、ハンドル５１の下部側面に設けられ、ハンドル５１に遊技者が触れてレバー５２を時計方向に回転させている状態であっても、遊技者に押下されることによって遊技球の発射を一時的に停止させる。取り出しボタン５４は、皿５９が設けられた位置近傍の前面に設けられ、遊技者に押下されることによって皿５９に溜まっている遊技球を箱（図示せず）に落下させる。
【００３４】
スピーカ５５および枠ランプ５６は、それぞれ遊技機１の遊技状態や状況を告知したり各種の演出を行ったりする。スピーカ５５は、楽曲や音声、効果音による各種の演出を行う。また、枠ランプ５６は、点灯または点滅によるパターンや発光色の違い等によって光による各種の演出を行う。なお、枠ランプ５６は、光の照射方向を変更可能にして、当該照射方向を変えることによる演出を行ってもかまわない。
【００３５】
次に、図２を参照して、遊技機１に設けられる表示器３について説明する。図２において、表示器３は、第１特別図柄表示器３１ａ、第２特別図柄表示器３１ｂ、第１特別図柄保留表示器３２ａ、第２特別図柄保留表示器３２ｂ、普通図柄表示器３３、普通図柄保留表示器３４、および遊技状態表示器３５を備えている。
【００３６】
第１特別図柄表示器３１ａは、第１始動口２５ａに遊技球が入賞することに対応して表示図柄が変動して表示される。例えば、第１特別図柄表示器３１ａは、７セグ表示装置で構成され、第１始動口２５ａに遊技球が入賞した場合、特別図柄（第１特別図柄）を変動表示してその抽選結果を表示する。第２特別図柄表示器３１ｂは、第２始動口２５ｂに遊技球が入賞することに対応して表示図柄が変動して表示される。例えば、第２特別図柄表示器３１ｂは、７セグ表示装置で構成され、第２始動口２５ｂに遊技球が入賞した場合、特別図柄（第２特別図柄）を変動表示してその抽選結果を表示する。普通図柄表示器３３は、ゲート２７を遊技球が通過することに対応して表示図柄が変動して表示される。例えば、普通図柄表示器３３は、ＬＥＤ表示装置で構成され、遊技球がゲート２７を通過した場合、普通図柄を変動表示してその抽選結果を表示する。
【００３７】
第１特別図柄保留表示器３２ａは、第１特別図柄抽選を保留している回数を表示する。第２特別図柄保留表示器３２ｂは、第２特別図柄抽選を保留している回数を表示する。普通図柄保留表示器３４は、普通図柄抽選を保留している回数を表示する。例えば、第１特別図柄表示器３１ａ、第２特別図柄表示器３１ｂまたは普通図柄表示器３３によって表示図柄が変動表示されている期間（入賞１回分の変動表示が行われている間）に、さらに他の遊技球が入賞した場合、その入賞した遊技球に対する表示図柄の変動表示は、先に入賞した遊技球に対する変動表示が終了するまで、規定回数（例えば、４回）を限度に保留される。このような保留がなされていることおよびその保留の数（未抽選回数）が、第１特別図柄保留表示器３２ａ、第２特別図柄保留表示器３２ｂおよび普通図柄保留表示器３４に表示される。例えば、第１特別図柄保留表示器３２ａ、第２特別図柄保留表示器３２ｂおよび普通図柄保留表示器３４は、それぞれ列設されたＬＥＤ表示装置で構成され、その点灯態様によって保留回数が表示される。
【００３８】
遊技状態表示器３５は、遊技機１の電源投入時点における遊技状態を表示する。なお、遊技機１には複数の遊技状態（例えば、通常遊技状態、確変遊技状態、時短遊技状態、潜伏遊技状態）が設定されている。そして、遊技機１の電源投入時点においては、遊技状態表示器３５によってその遊技状態が報知される。例えば、遊技状態表示器３５は、複数のＬＥＤ表示装置で構成され、その点灯態様によって遊技状態が表示される。
【００３９】
次に、図３を参照して、遊技機１に設けられる入力装置について説明する。図３において、遊技機１には、入力装置の一例として、演出ボタン５７および演出キー５８が設けられている。
【００４０】
演出ボタン５７および演出キー５８は、それぞれ遊技者が演出に対する入力を行うために設けられている。演出ボタン５７は、遊技機１の前方に突出した皿５９の上面脇部に設けられる。演出キー５８は、中央キーと略十字に配列された複数のキーとを有し、演出ボタン５７に隣接して皿５９の上面脇部に設けられる。例えば、演出キー５８は、その中央に１つの中央キーを配置し、中央キーの周囲に略同一形状の４つの周囲キーを配置して構成されている。演出ボタン５７および演出キー５８は、それぞれ遊技者に押下されることによって所定の演出が行われる。例えば、遊技者は、演出キー５８の４つの周囲キーを操作することにより、画像表示器２１に表示されている複数の選択項目から所望の選択項目へカーソルを移動させ、さらに演出キー５８の中央キーを操作することにより、カーソルによって示されている選択項目の選択を確定させることが可能である。
【００４１】
また、上記枠部材５の背面側には、払出用の遊技球を溜めておく球タンクや遊技球を皿５９に払い出す払出装置（払出駆動部）が設けられ、各種の基板等が取り付けられている。例えば、遊技盤２の後面には、メイン基板およびサブ基板等が配設されている。具体的には、メイン基板には、内部抽選および当選の判定等を行うメイン制御部が構成されたメイン制御基板、遊技球を遊技領域２０の上部へ発射する発射装置を制御する発射制御部が構成された発射制御基板、および賞球の払出を制御する払出制御部が構成された払出制御基板等が配設されている。このメイン基板は、開封されることにより痕跡が残るように透明部材で構成されたメイン基板ケースによって密封されている。また、サブ基板には、演出を統括的に制御する演出制御部が構成された演出制御基板、画像や音による演出を制御する画像音響制御部が構成された画像音響制御基板、および各種のランプ（枠ランプ５６、盤ランプ２３）や可動役物２２による演出を制御するランプ制御部が構成されたランプ制御基板等が配設されている。また、遊技盤２の後面には、遊技機１に供給された１００ＶのＡＣ電源をＤＣ電源に変換して上述した各種の基板等に出力するスイッチング電源が配設されている。
【００４２】
図４は、遊技機１の遊技盤２の基体部材である矩形の板状部材６の正面図である。板状部材６は、遊技盤２の基体となる矩形の板状の部材であって、その前面側には、図１を用いて説明した、可動役物２２、盤ランプ２３、第１始動口２５ａ、第２始動口２５ｂ、ゲート２７、大入賞口２８、普通入賞口２９、遊技くぎおよび風車等が配設される。また、板状部材６は、その外縁部が枠部材５と係合して遊技機１に装着される。
【００４３】
さらに、板状部材６には、略中央位置に、画像表示器２１および役物７を収容可能な形状に、孔６１が形成されている。画像表示器２１および役物７は、孔６１の周辺部６２に図５を用いて後述するビス８等によって係止されて、板状部材６に固定される。孔６１の周辺部６２は、孔６１の下方略中央部に、板状部材６の板面（遊技盤２の盤面）と平行な方向に孔６１に向けて突出した凸部６２１を有し、孔６１の右側および下側右端部に、板状部材６の板面（遊技盤２の盤面）と平行な方向に孔６１が突出すべく形成された凹部６２２を有している。また、孔６１の周辺部６２は、孔６１の上側および左側に、端面が直線状の直線部６２３を有している。
【００４４】
図４に示すように、役物７は、役物７の右側および下側の周辺部に形成されたビス孔７２を貫通して、孔６１の周辺部６２の凹部６２２にビス８（図５、図６参照）によって係止されて固定される。また、役物７は、孔６１の周辺部６２の凸部６２１にビス８（図５、図６参照）によって固定される。
【００４５】
（第１実施形態）
図５は、第１実施形態に係る役物７の板状部材６へのビス止め状態を示す図４のＡ−Ａ断面図である。第１実施形態に係る役物７は、該役物７の左側端部（一方側端部に相当する）に、板状部材６の板面（遊技盤２の盤面）と平行な方向に突出し、孔６１の周辺部６２の凸部６２１を挟持する前面側突出部材７３および背面側突出部材７４を有している。また、役物７は、役物７の左側に形成された前面側突出部材７３に形成されたビス孔７１を貫通して、孔６１の周辺部６２の凸部６２１にビス８によって固定される。ここで、ビス８（係止部材に相当する）は、例えば、略円柱状の金属製の部材であって、ビス打ち機（図示せず）によってビス孔７１、７２を貫通して板状部材６に打ち込まれる。なお、図４を用いて上述のように、役物７は、役物７の右側および下側の周辺部に形成されたビス孔７２を貫通して、孔６１の周辺部６２の凹部６２２にビス８によって係止されて固定される。
【００４６】
このように、前面側突出部材７３および背面側突出部材７４によって孔６１の周辺部６２の凸部６２１が挟持されているため、凸部６２１にビス８を打ち込む際に、凸部６２１が下方に撓むことを抑制することができる。すなわち、背面側突出部材７４によって孔６１の周辺部６２の凸部６２１が支持されているため、凸部６２１が下方に撓むことを抑制することができるのである。また、前面側突出部材７３および背面側突出部材７４によって孔６１の周辺部６２の凸部６２１が挟持されているため、孔６１の周辺部６２の凹部６２２、役物７および孔６１の周辺部６２の凸部６２１が一体として変形するため、いわゆる両持ち梁状の部材の変形と近似した変形となるので、凸部６２１が下方に撓むことを効果的に抑制することができる。また、遊技盤と役物とをビス等で固定する際に遊技盤を裏面から支持する、固定作業のための支持板等を設置する必要がなく、固定作業を効率化することができる。
【００４７】
さらに、前面側突出部材７３および背面側突出部材７４は、役物７と一体として、断面視コの字状に形成されている。したがって、孔６１の周辺部６２の凹部６２２、役物７および孔６１の周辺部６２の凸部６２１がさらに一体として変形するため、いわゆる両持ち梁状の部材の変形とさらに近似した変形となるので、凸部６２１が下方に撓むことをさらに効果的に抑制することができる。
【００４８】
第１実施形態では、前面側突出部材７３および背面側突出部材７４が、役物７と一体として形成されている場合について説明するが、前面側突出部材７３および背面側突出部材７４が、役物７とは別部材として形成され、凸部６２１へのビス８の打ち込みに先だって、役物７に固定される形態でもよい。この場合には、前面側突出部材７３と背面側突出部材７４との間に、凸部６２１を容易に挿入することができる。
【００４９】
加えて、前面側突出部材７３および背面側突出部材７４は、役物７が板状部材６（遊技盤２）に装着された状態で、孔６１の周辺部６２に沿うべく帯状に形成されている。したがって、孔６１の周辺部６２の凹部６２２、役物７および孔６１の周辺部６２の凸部６２１がさらに一体として変形するため、いわゆる両持ち梁状の部材の変形とさらに近似した変形となるので、凸部６２１が下方に撓むことをさらに効果的に抑制することができる。
【００５０】
また、図７を用いて後述するように、役物７は、役物７の右側および下側の周辺部に形成されたビス孔７２を貫通して、孔６１の周辺部６２の凹部６２２にビス８によって係止されて固定された後、役物７の左側に形成された前面側突出部材７３に形成されたビス孔７１を貫通して、孔６１の周辺部６２の凸部６２１にビス８によって固定される。すなわち、役物７を孔６１の周辺部６２の凸部６２１にビス８によって固定する際には、役物７の右側が孔６１の周辺部６２の凹部６２２に既に固定されているので、孔６１の周辺部６２の凹部６２２、役物７および孔６１の周辺部６２の凸部６２１がさらに一体として変形する。そこで、いわゆる両持ち梁状の部材の変形とさらに近似した変形となるので、凸部６２１が下方に撓むことをさらに効果的に抑制することができる。
【００５１】
（第２実施形態）
図６は、第２実施形態に係る役物７の板状部材６へのビス止め状態を示す図４のＡ−Ａ断面図である。第２実施形態に係る役物７は、該役物７の左側端部（一方側端部に相当する）に、板状部材６の板面（遊技盤２の盤面）と平行な方向に突出し、孔６１の周辺部６２の凸部６２１の背面側を支持する背面側突出部材７４を有している。また、役物７は、孔６１の周辺部６２の凸部６２１を貫通して、孔６１の周辺部６２の凸部６２１に背面側突出部材７４を係止して、孔６１の周辺部６２の凸部６２１に固定される。なお、図４を用いて上述のように、役物７は、役物７の右側および下側の周辺部に形成されたビス孔７２を貫通して、孔６１の周辺部６２の凹部６２２にビス８によって係止されて固定される。ここで、ビス８（係止部材に相当する）は、例えば、略円柱状の金属製の部材であって、ビス打ち機（図示せず）によってビス孔７２を貫通して板状部材６に打ち込まれる。ただし、孔６１の周辺部６２の凸部６２１においては、ビス打ち機（図示せず）によって板状部材６の周辺部６２の凸部６２１を貫通して役物７の背面側突出部材７４に打ち込まれる。
【００５２】
このように、背面側突出部材７４によって孔６１の周辺部６２の凸部６２１が支持されているため、凸部６２１にビス８を打ち込む際に、凸部６２１が下方に撓むことを抑制することができる。
【００５３】
さらに、背面側突出部材７４は、役物７と一体として、断面視Ｌの字状に形成されている。したがって、背面側突出部材７４によって孔６１の周辺部６２の凸部６２１がさらに強く支持されるため、凸部６２１が下方に撓むことをさらに効果的に抑制することができる。
【００５４】
加えて、背面側突出部材７４は、役物７が板状部材６（遊技盤２）に装着された状態で、孔６１の周辺部６２に沿うべく帯状に形成されている。したがって、背面側突出部材７４によって孔６１の周辺部６２の凸部６２１がさらに強く支持されるため、凸部６２１が下方に撓むことをさらに効果的に抑制することができる。
【００５５】
また、図７を用いて後述するように、役物７は、役物７の右側および下側の周辺部に形成されたビス孔７２を貫通して、孔６１の周辺部６２の凹部６２２にビス８によって係止されて固定された後、板状部材６の周辺部６２の凸部６２１を貫通して役物７の背面側突出部材７４にビス８によって固定される。すなわち、役物７を孔６１の周辺部６２の凸部６２１にビス８によって固定する際には、役物７の右側が孔６１の周辺部６２の凹部６２２に既に固定されているので、背面側突出部材７４によって孔６１の周辺部６２の凸部６２１がさらに強く支持されるため、凸部６２１が下方に撓むことをさらに効果的に抑制することができる。
【００５６】
図７は、遊技機１の製造方法を示すフローチャートである。ここでは、板状部材６に役物７を固定する手順について説明する。まず、ステップＳ１において、板状部材６の孔６１に役物７が嵌め込まれる。次に、ステップＳ２において、孔６１の周辺部６２の凹部６２２にビス８が打たれる。そして、ステップＳ３において、孔６１の周辺部６２の凸部６２１にビス８が打たれる。ここで、ステップＳ２は、第１固定ステップに相当し、ステップＳ３は、第２固定ステップに相当する。
【００５７】
第１実施形態および第２実施形態では、役物７が孔６１の周辺部６２の凸部６２１および凹部６２２に固定される場合について説明したが、役物７が孔６１の周辺部６２の凸部６２１および直線部６２３（図４参照）に固定される形態でもよい。また、役物７が孔６１の周辺部６２の凸部６２１、凹部６２２および直線部６２３に固定される形態でもよい。
【００５８】
第１実施形態および第２実施形態では、ビス８によって役物７が板状部材６に固定される場合について説明したが、その他の種類の係合部材（例えば、ネジ、釘等）によって役物７が板状部材６に固定される形態でもよい。
【００５９】
また、第１実施形態および第２実施形態では、パチンコ遊技機１について説明したが、本発明はパチンコ遊技機に限らず、その他の遊技機にも適用可能である。
【符号の説明】
【００６０】
１…遊技機
２…遊技盤
２０…遊技領域
２１…画像表示器
２２…可動役物
２３…盤ランプ
２４…排出口
２５ａ…第１始動口
２５ｂ…第２始動口
２６…電動チューリップ
２７…ゲート
２８…大入賞口
２９…普通入賞口
３…表示器
３１ａ…第１特別図柄表示器
３１ｂ…第２特別図柄表示器
３２ａ…第１特別図柄保留表示器
３２ｂ…第２特別図柄保留表示器
３３…普通図柄表示器
３４…普通図柄保留表示器
３５…遊技状態表示器
４３…錠部
５…枠部材
５１…ハンドル
５２…レバー
５３…停止ボタン
５４…取り出しボタン
５５…スピーカ
５６…枠ランプ
５７…演出ボタン
５８…演出キー
５９…皿
６…板状部材
６１…孔
６２…周辺部
６２１…凸部
６２２…凹部
６２３…直線部
７…役物
７１，７２…ビス孔
７３…前面側突出部材
７４…背面側突出部材
８…ビス（係止部材）
【図１】
0005390365.tif 000002
【図２】
0005390365.tif 000003
【図３】
0005390365.tif 000004
【図４】
0005390365.tif 000005
【図５】
0005390365.tif 000006
【図６】
0005390365.tif 000007
【図７】
0005390365.tif 000008
【図８】
0005390365.tif 000009